(57)【要約】【課題】サブマイコンによるメインマイコンの監視機能を任意にオフできるようにして、メインマイコンに誤ったバージョンのプログラムを書き込んだときに、プログラムの書き換えが行えるようにする。【解決手段】サブマイコンによるメインマイコンの監視機能をオフする場合、作業者は、制御情報を出力するセンサに代えて、監視オフツールを自動車用電子制御装置に接続し、監視オフツールが出力する既定の疑似センサ信号をサブマイコンに入力させる。サブマイコンは、入力したセンサ信号が既定値であるときにリセット要求信号の停止条件が成立していると判断し、メインマイコンの動作異常を検知していても、メインマイコンへのリセット要求信号の出力を停止する。【選択図】図５
2018090214.tif 000002
【特許請求の範囲】
【請求項１】
自動車に搭載される制御機器の制御処理を行う第１処理手段と、前記第１処理手段の動作に異常が生じたときに前記第１処理手段にリセット要求信号を出力する第２処理手段と、を含み、
前記第２処理手段は外部から既定入力を受けたときに前記リセット要求信号の出力を停止する、自動車用電子制御装置。
【請求項２】
前記第２処理手段は、外部から複数の既定入力を受けたときに前記リセット要求信号の出力を停止する、請求項１記載の自動車用電子制御装置。
【請求項３】
前記第２処理手段は、前記第１処理手段が入力する制御情報の信号を入力する入力手段を含み、前記既定入力を前記入力手段によって受ける、請求項１又は請求項２記載の自動車用電子制御装置。
【請求項４】
前記既定入力は前記制御情報の可変範囲から外れた値である、請求項３記載の自動車用電子制御装置。
【請求項５】
自動車に搭載される制御機器の制御処理を行う第１処理手段と、第２処理手段と、を含む自動車用電子制御装置のリセット方法であって、
前記第２処理手段は、
前記第１処理手段の異常の有無を検出するステップと、
前記第１処理手段が入力する制御情報の信号が既定値であるか否かを検出するステップと、
前記第１処理手段の異常を検出し前記制御情報の信号が前記既定値でないときに前記第１処理手段にリセット要求信号を出力するステップと、
前記第１処理手段の異常を検出し前記制御情報の信号が前記既定値であるときに前記第１処理手段への前記リセット要求信号の出力を停止するステップと、
を有する、自動車用電子制御装置のリセット方法。
【発明の詳細な説明】
【技術分野】
【０００１】
本発明は、自動車に搭載される制御機器の制御処理を行う第１処理手段と、前記第１処理手段の監視機能を備えた第２処理手段とを含む自動車用電子制御装置において、前記第２処理手段によって前記第１処理手段をリセットする技術に関する。
【背景技術】
【０００２】
特許文献１には、メインコントローラとサブコントローラとを有し、メインコントローラは、サブコントローラで使用している制御プログラムのバージョン情報を取得し、取得したバージョン情報とＲＯＭに記憶されている制御プログラムのバージョン情報とを比較し、ＲＯＭに記憶されている制御プログラムの方が新しいバージョンであるときは、サブコントローラに対して新しい制御プログラムをダウンロードする、電子機器が開示されている。
【先行技術文献】
【特許文献】
【０００３】
【特許文献１】特開２００３−２４１９２４号公報
【発明の概要】
【発明が解決しようとする課題】
【０００４】
自動車用電子制御装置は、自動車に搭載される制御機器の制御処理を行う第１処理手段（メインマイコン）と、前記第１処理手段の動作に異常が生じたときに前記第１処理手段にリセット要求信号を出力する第２処理手段（サブマイコン）と、を含んで構成される場合がある。
上記構成の自動車用電子制御装置において、例えば、誤ったバージョンのプログラムが第１処理手段に書き込まれた場合、係るバージョンの誤りによって第２処理手段が第１処理手段の動作異常を判定し、第１処理手段にリセット要求信号を出力するようになることがあった。
このように、第２処理手段が第１処理手段にリセット要求信号を出力する状態では、第１処理手段が動作できず、プログラムの書き換えも不能になり、結果として、当該電子制御装置が使用できなくなるという問題が生じる。
【０００５】
本発明は上記問題点に鑑みなされたものであり、第２処理手段（サブマイコン）による第１処理手段（メインマイコン）の監視機能を任意にオフできるようにして、第１処理手段のプログラム書き換えなどを可能にできる、自動車用電子制御装置及び自動車用電子制御装置のリセット方法を提供することを目的とする。
【課題を解決するための手段】
【０００６】
そのため、本願発明に係る自動車用電子制御装置は、その一態様において、自動車に搭載される制御機器の制御処理を行う第１処理手段と、前記第１処理手段の動作に異常が生じたときに前記第１処理手段にリセット要求信号を出力する第２処理手段と、を含み、前記第２処理手段は外部から既定入力を受けたときに前記リセット要求信号の出力を停止する。
【０００７】
また、本願発明に係る自動車用電子制御装置のリセット方法は、自動車に搭載される制御機器の制御処理を行う第１処理手段と、第２処理手段と、を含む自動車用電子制御装置のリセット方法であって、前記第２処理手段は、前記第１処理手段の異常の有無を検出するステップと、前記第１処理手段が入力する制御情報の信号が既定値であるか否かを検出するステップと、前記第１処理手段の異常を検出し前記制御情報の信号が前記既定値でないときに前記第１処理手段にリセット要求信号を出力するステップと、前記第１処理手段の異常を検出し前記制御情報の信号が前記既定値であるときに前記第１処理手段への前記リセット要求信号の出力を停止するステップと、を有する。
【発明の効果】
【０００８】
上記発明によると、第２処理手段の外部入力を操作することで第１処理手段へのリセット要求信号の出力を停止でき、例えば、誤ったバージョンのプログラムが第１処理手段に書き込まれた場合にプログラムの書き換えを可能にして電子制御装置の使用を継続できるようになる。
【図面の簡単な説明】
【０００９】
【図１】本発明の実施形態における自動車用電子制御装置のブロック図である。
【図２】本発明の実施形態における自動車用電子制御装置に監視オフツールを接続した状態のブロック図である。
【図３】本発明の実施形態における油温センサの出力特性を示す図である。
【図４】本発明の実施形態における回転センサの出力特性を示す図である。
【図５】本発明の実施形態におけるリセット要求信号の出力停止処理を示すフローチャートである。
【発明を実施するための形態】
【００１０】
以下に本発明の実施の形態を説明する。
図１は、本発明に係る自動車用電子制御装置の一態様を示す構成図である。
図１の自動車用電子制御装置１００は、自動車２００に搭載されるエンジンや自動変速機などの制御機器３００を制御する装置であり、メインマイコン（第１処理手段）１１０とサブマイコン（第２処理手段）１２０とを含んで構成される。
【００１１】
メインマイコン１１０は、メモリに格納されるプログラムに従って制御機器３００の制御処理を実施し、制御機器３００に操作信号を出力する制御部１１１、制御機器３００の制御情報を出力する各種センサからの信号を読み込むためのＡ／Ｄ変換部１１２及びタイマ処理部１１３、サブマイコン１２０が出力するリセット要求信号を入力するリセット端子１１４などを備える。
サブマイコン１２０は、制御機器３００の制御情報を出力する各種センサからの信号を読み込むためのＡ／Ｄ変換部１２２及びタイマ処理部１２３、メインマイコン１１０の動作を監視する監視部１２４、監視部１２４がメインマイコン１１０の動作異常を検知したときにメインマイコン１１０のリセット端子１１４にリセット要求信号を出力するリセット出力部１２５、Ａ／Ｄ変換部１２２及びタイマ処理部１２３を介して読み込んだ信号に基づきリセット要求信号の出力を停止させるリセット出力停止部１２６などを備える。
【００１２】
Ａ／Ｄ変換部（入力手段）１１２，１２２には、制御情報に応じて電圧レベルが異なるアナログ信号を出力するセンサの信号が入力され、制御情報を示す電圧値のデータを出力する。制御機器３００が、例えば油圧式の自動変速機である場合、Ａ／Ｄ変換部１１２，１２２にアナログ信号を出力するセンサ３１０は、自動変速機の作動油（ＡＴＦ）の温度に応じた電圧信号を出力する油温センサなどである。
また、タイマ処理部（入力手段）１１３，１２３には、制御情報に応じて周波数が異なるパルス信号を出力するセンサの信号が入力され、制御情報を示す周波数のデータを出力する。制御機器３００が、例えば油圧式の自動変速機である場合、タイマ処理部１１３，１２３にパルス信号を出力するセンサ３２０は、自動変速機の回転部の回転に応じてパルスを発する回転センサなどである。
【００１３】
上記自動車用電子制御装置において、例えば誤ったバージョンのプログラムがメインマイコン１１０に書き込まれた場合に、サブマイコン１２０の監視部１２４がバージョンの不一致をメインマイコン１１０の動作異常として誤検知し、リセット出力部１２５がリセット要求信号をメインマイコン１１０に出力する場合がある。
このようにして、メインマイコン１１０にリセット要求信号が出力される場合、メインマイコン１１０が動作せず、プログラムの書き換えもできない状態になる。
【００１４】
係るメインマイコン１１０の動作停止状態になった場合、プログラムの書き換えを行う作業者は、図２に示すように、センサ３１０，３２０に代えて、センサ３１０，３２０の出力信号と区別できる既定信号を出力する監視オフツール４００を自動車用電子制御装置１００に接続する。
監視オフツール４００は、センサ３１０に代えて既定電圧の信号を出力する定電圧回路４０１や、センサ３２０に代えて既定周波数のパルス信号を出力するパルス発生器４０２を含んで構成される。
【００１５】
サブマイコン１２０のリセット出力停止部１２６は、外部から既定入力を受けたときに（入力した制御情報信号が既定値であるときに）メインマイコン１１０へのリセット要求信号の出力を停止するよう構成されていて、監視オフツール４００は、リセット出力停止部１２６がリセット要求信号の出力を停止することになる既定信号をサブマイコン１２０に出力する。
つまり、監視オフツール４００が自動車用電子制御装置１００に接続され、サブマイコン１２０が既定入力を受けると、サブマイコン１２０は、メインマイコン１１０へのリセット要求信号の出力を停止する。これにより、メインマイコン１１０が動作状態に復活してプログラムの書き換えが可能な状態になり、作業者は、プログラム書き換え作業を実施して、メインマイコン１１０のメモリに格納されている誤ったバージョンのプログラムを正規のバージョンのプログラムに書き換えることができる。
【００１６】
監視オフツール４００は、例えば図３及び図４に示すような既定範囲内の信号を出力する。
監視オフツール４００が、油温センサ３１０の出力に代わる既定信号を出力する場合、図３に示すように、油温センサ３１０の正常出力範囲に含まれず、かつ、油温センサ３１０の信号出力経路が天絡又は地絡したときの出力範囲に含まれない出力を、既定信号（疑似油温信号）として出力する。
なお、図３に示す油温センサ３１０の出力特性の一例では、−３００℃〜＋３００℃の範囲に相当する信号域が正常出力範囲であり、−３４０℃〜−３５０℃の範囲に相当する信号域が天絡状態での出力範囲で、＋３００℃〜＋３５０℃の範囲に相当する信号域が地絡状態での出力範囲である。
【００１７】
油温センサ３１０が図３に示すような出力特性である場合、監視オフツール４００は、油温センサ３１０の出力に代わる既定信号として、正常出力範囲、天絡状態での出力範囲、及び、地絡状態での出力範囲のいずれにも含まれない−３００℃〜−３４０℃の範囲に相当する電圧信号、つまり、油温センサ３１０の出力信号の可変範囲を外れた値の信号を出力する。そして、サブマイコン１２０のリセット出力停止部１２６は、−３００℃〜−３４０℃の範囲の信号を油温信号として入力したときに、換言すれば、油温信号がリセット要求信号の出力停止条件を満たしたときに、メインマイコン１１０へのリセット要求信号の出力を停止するよう構成される。
【００１８】
また、監視オフツール４００が、回転センサ３２０の出力（パルス信号）に代わる既定信号を出力する場合、図４に示すように、回転センサ３２０の正常出力範囲に含まれず、かつ、回転センサ３２０の信号出力経路が断線、天絡又は地絡したときの出力範囲に含まれない出力を、既定信号（疑似回転信号）として出力する。
なお、図４に示す回転センサ３２０の出力特性の一例では、０rpm〜10000rpmの範囲に相当する信号域が正常出力範囲であり、０rpmを下回る範囲に相当する信号域が断線、天絡又は地絡したときの出力範囲である。
【００１９】
回転センサ３２０が図４に示すような出力特性である場合、監視オフツール４００は、回転センサ３２０の出力に代わる既定信号として、正常出力範囲、断線・天絡・地絡での出力範囲のいずれにも含まれない10000rpmを上回る範囲に相当する信号、つまり、回転センサ３２０の可変範囲を外れた値の信号を出力する。そして、サブマイコン１２０のリセット出力停止部１２６は、10000rpmを上回る範囲の信号を回転信号として入力したときに、換言すれば、回転信号がリセット要求信号の出力停止条件を満たしたときに、メインマイコン１１０へのリセット要求信号の出力を停止するよう構成される。
【００２０】
ここで、図３に例示した油温センサ３１０の出力特性では、油温センサ３１０の信号出力経路が断線したときや、油温センサ３１０の出力信号をＡ／Ｄ変換するＡ／Ｄ変換部１１２が故障したときには、サブマイコン１２０に、リセット要求信号の出力停止条件を満たす信号が入力される可能がある。また、図４に例示した回転センサ３２０の出力特性では、回転センサ３２０の出力信号を処理するタイマ処理部１２３が故障したときに、サブマイコン１２０に、リセット要求信号の出力停止条件を満たす信号が入力される可能がある。
このように、監視オフツール４００を自動車用電子制御装置１００に接続していない状態で、リセット要求信号の出力停止条件が個々のセンサにおいて成立し、誤ってリセット要求信号の出力が停止されてしまう可能性がある。
【００２１】
そこで、サブマイコン１２０のリセット出力停止部１２６は、複数の外部入力（制御情報信号）がそれぞれの既定範囲内であって、複数の外部入力がリセット要求信号の出力停止条件を同時に満たしているときに、リセット要求信号の出力を停止することができる。
係る構成であれば、センサの故障やセンサ出力の入力部（Ａ／Ｄ変換部１１２、タイマ処理部１２３）の故障などによって、サブマイコン１２０がリセット要求信号の出力を誤って停止することを抑制できる。
【００２２】
図５は、サブマイコン１２０のリセット出力停止部１２６によるリセット要求信号の出力停止処理の一態様を示すフローチャートである。
まず、リセット出力停止部１２６は、ステップＳ１１で油温信号及び回転信号を読み込む。
【００２３】
次いで、リセット出力停止部１２６は、ステップＳ１２で、Ａ／Ｄ変換部１２２を介して読み込んだ油温信号がリセット要求信号の出力停止条件として予め設定されている所定温度範囲（図３の例では−３００℃〜−３４０℃）内の信号であるか否かを判別する。
そして、油温信号が前記所定温度範囲内（既定信号、既定値）であって、リセット要求信号の出力停止条件を満たす場合、リセット出力停止部１２６はステップＳ１３に進む。
【００２４】
ここで、監視オフツール４００が自動車用電子制御装置１００に接続されている状態では、監視オフツール４００がリセット要求信号の出力停止条件を満たす疑似油温信号をサブマイコン１２０に出力するので、リセット出力停止部１２６はステップＳ１２からステップＳ１３に進むことになる。
ステップＳ１３において、リセット出力停止部１２６は、タイマ処理部１２３を介して読み込んだ回転信号がリセット要求信号の出力停止条件として予め設定されている所定回転速度範囲（図４の例では10000rpmを超える回転域）内の信号であるか否かを判別する。
【００２５】
そして、回転信号が前記所定回転速度範囲内（既定信号、既定値）であって、リセット要求信号の出力停止条件を満たす場合、リセット出力停止部１２６はステップＳ１４に進む。
ここで、監視オフツール４００が自動車用電子制御装置１００に接続されている状態では、監視オフツール４００がリセット要求信号の出力停止条件を満たす疑似回転信号をサブマイコン１２０に出力するので、リセット出力停止部１２６はステップＳ１３からステップＳ１４に進むことになる。
【００２６】
ステップＳ１４で、リセット出力停止部１２６は、メインマイコン１１０へのリセット要求信号の出力を停止する監視オフ状態に移行する。つまり、監視オフツール４００が自動車用電子制御装置１００に接続されていて既定の疑似油温信号及び疑似回転信号がサブマイコン１２０に入力される状態では、サブマイコン１２０は、メインマイコン１１０の動作異常を検知したとしてもメインマイコン１１０にリセット要求信号を出力しない。
なお、サブマイコン１２０のリセット出力停止部１２６がリセット要求信号の出力を停止する処理は、監視部１２４がメインマイコン１１０の動作異常を検知している状態でリセット要求信号の出力を遮断する処理の他、監視部１２４におけるメインマイコン１１０の動作異常の検出処理を停止する処理とすることができ、メインマイコン１１０の動作異常状態でメインマイコン１１０のリセットが阻止される処理を適宜採用できる。
【００２７】
一方、油温信号が前記所定温度範囲外の信号であってリセット要求信号の出力停止条件を満たさない場合、サブマイコン１２０は、ステップＳ１２からステップＳ１５進み、メインマイコン１１０へのリセット要求信号の出力を許可する監視オン状態に移行する。係る監視オン状態で、サブマイコン１２０は、メインマイコン１１０の動作異常を検知すると、メインマイコン１１０にリセット要求信号を出力してメインマイコン１１０をリセットさせる。
監視オフツール４００は前記所定温度範囲内の疑似油温信号を出力するから、油温信号が前記所定温度範囲外の信号である場合は、少なくとも監視オフツール４００が自動車用電子制御装置１００に接続されていない状態であり、サブマイコン１２０は、メインマイコン１１０の動作異常状態でメインマイコン１１０のリセットする監視処理を通常に実施する。
【００２８】
ここで、監視オフツール４００が自動車用電子制御装置１００に接続されていない状態、換言すれば、センサ３１０，３２０の出力が自動車用電子制御装置１００に入力される状態で、油温信号が、センサ出力ラインの断線やセンサ出力をＡ／Ｄ変換するＡ／Ｄ変換部１２２の故障などによって、リセット要求信号の出力停止条件を満たす前記所定温度範囲内の信号になる場合がある（図３参照）。
この場合、サブマイコン１２０のリセット出力停止部１２６は、ステップＳ１２からステップＳ１３に進むが、回転センサ３２０の出力を処理するタイマ処理部１１３の故障などが発生していない状態では、回転センサ３２０が出力する回転信号が、リセット要求信号の出力停止条件を満たす前記所定回転速度範囲内の信号にならず（図４参照）、サブマイコン１２０は、ステップＳ１３からステップＳ１５進み、メインマイコン１１０へのリセット要求信号の出力を許可する監視オン状態に移行する。
【００２９】
つまり、２つのセンサ３１０，３２０又は２つのセンサ３１０，３２０の入力経路が同時に故障する可能性は低く、一方の信号がリセット要求信号の出力停止条件を満たす所定範囲内の信号になっても、他方の信号がリセット要求信号の出力停止条件を満たさないことで、メインマイコン１１０へのリセット要求信号の出力がリセット出力停止部１２６によって誤って停止されることを抑止できる。
上記のように、センサ３１０，３２０に代えて監視オフツール４００を自動車用電子制御装置１００に接続することで、サブマイコン１２０がメインマイコン１１０にリセット要求信号を出力することを停止させることができる。
【００３０】
したがって、メインマイコン１１０に誤ったバージョンのプログラムが書き込まれたことで、サブマイコン１２０がメインマイコン１１０の動作異常を検出し、メインマイコン１１０にリセット要求信号を出力するようになったときに、作業者は、リセット要求信号の出力を任意に停止させてプログラム書き換え可能な状態に切り替え、メインマイコン１１０に正規のバージョンのプログラムを書き込むことができる。
そして、メインマイコン１１０に正規のバージョンのプログラムを格納させることができれば、自動車用電子制御装置１００を自動車の制御に用いることができるようになる。
【００３１】
ここで、サブマイコン１２０が、メインマイコン１１０の監視機能（リセット要求信号の出力）を停止させるピンを備えている場合、作業者がピン操作することによって任意に監視機能（リセット要求信号の出力）を停止させることができる。しかし、作業者がピンを操作するには、自動車用電子制御装置１００を構成する基板を筐体から取り出す必要があり、防水処理などが施された組み上げ済の自動車用電子制御装置１００の場合は、ピン操作が実質的に不能で、リセット要求信号の出力を停止させることができない。
これに対し、監視オフツール４００が生成する疑似センサ信号をサブマイコン１２０に入力させることでリセット要求信号の出力を停止させる構成であれば、作業者は、センサ出力を入力するためのコネクタ１３０を介して監視オフツール４００を自動車用電子制御装置１００に接続することでリセット要求信号の出力を停止させることができ、組み上げ済の自動車用電子制御装置１００についてもリセット要求信号の出力を容易に停止させることができる。
【００３２】
以上、好ましい実施形態を参照して本発明の内容を具体的に説明したが、本発明の基本的技術思想及び教示に基づいて、当業者であれば種々の変形態様を採り得ることは自明である。
例えば、メインマイコン１１０（第１処理手段）の動作に異常が生じたときにメインマイコン１１０にリセット要求信号を出力する第２処理手段を、ＡＳＩＣ（application specific integrated circuit）で構成することができる。
【００３３】
また、サブマイコン１２０は、１つの信号のみからリセット要求信号の出力を停止させるか否かを切り替える構成とすることができ、また、３つ以上の信号の全てがリセット要求信号の出力停止条件を満たす所定範囲内（既定信号、既定値）であるときにリセット要求信号の出力を停止させることができる。
また、リセット要求信号の出力を停止させるために監視オフツール４００が生成する疑似センサ信号は、油温信号や回転信号に限定されず、例えば自動車用電子制御装置１００が自動変速機を制御対象とする場合、油温センサ、ストロークセンサ、シフトポジションセンサなどの出力を疑似する信号を監視オフツール４００から自動車用電子制御装置１００に出力させることができる。この場合、リセット出力停止部１２６は、監視オフツール４００が出力する疑似センサ信号が既定値であるときに、リセット要求信号の出力を停止するよう予め構成される。
【００３４】
また、自動車用電子制御装置１００がエンジン（内燃機関）を制御対象とする場合は、水温センサ、空燃比センサ、エアフローセンサ、吸気圧センサなどの出力を疑似する信号を監視オフツール４００で生成させることができる。この場合、リセット出力停止部１２６は、監視オフツール４００が出力するエンジン系の疑似センサ信号が既定値であるときに、リセット要求信号の出力を停止するよう予め構成される。
また、自動車用電子制御装置１００がＣＡＮ（Controller Area Network）に接続される場合は、監視オフツール４００がＣＡＮ入力を疑似する信号を出力することができ、リセット出力停止部１２６は、ＣＡＮ入力が既定値であるときに、メインマイコン１１０へのリセット要求信号の出力を停止する構成とすることができる。
【００３５】
また、監視オフツール４００から出力させる信号の種類、監視オフツール４００から出力させる信号のレベルや周波数などを作業者が任意に選択できるように構成することができる。
また、監視オフツール４００を用いる構成に限定されず、作業者は、定電圧回路やパルスジェネレータなどを個別に自動車用電子制御装置１００に接続し、サブマイコン１２０によるリセット要求信号の出力を停止させることができる。
また、自動車用電子制御装置１００のプログラム書き換えを実施するプログラム書き換えツールが、監視オフツール４００としての機能を一体的に備えることができる。
【００３６】
ここで、上述した実施形態から把握し得る技術的思想について、以下に記載する。
自動車用電子制御装置は、その一態様として、自動車に搭載される制御機器の制御処理を行う第１処理手段と、前記第１処理手段の動作に異常が生じたときに前記第１処理手段にリセット要求信号を出力する第２処理手段と、を含み、前記第２処理手段は外部から既定入力を受けたときに前記リセット要求信号の出力を停止する。
【００３７】
前記自動車用電子制御装置の好ましい態様において、前記第２処理手段は、外部から複数の既定入力を受けたときに前記リセット要求信号の出力を停止する。
別の好ましい態様では、前記第２処理手段は、前記第１処理手段が入力する制御情報の信号を入力する入力手段を含み、前記既定入力を前記入力手段によって受ける。
さらに別の好ましい態様では、前記既定入力は前記制御情報の可変範囲から外れた値である。
【００３８】
また、自動車用電子制御装置のリセット方法は、自動車に搭載される制御機器の制御処理を行う第１処理手段と、第２処理手段と、を含む自動車用電子制御装置のリセット方法であって、前記第２処理手段は、前記第１処理手段の異常の有無を検出するステップと、前記第１処理手段が入力する制御情報の信号が既定値であるか否かを検出するステップと、前記第１処理手段の異常を検出し前記制御情報の信号が前記既定値でないときに前記第１処理手段にリセット要求信号を出力するステップと、前記第１処理手段の異常を検出し前記制御情報の信号が前記既定値であるときに前記第１処理手段への前記リセット要求信号の出力を停止するステップと、を有する。
【符号の説明】
【００３９】
１００…自動車用電子制御装置、１１０…メインマイコン（第１処理手段）、１１１…制御部、１１２…Ａ／Ｄ変換部、１１３…タイマ処理部、１１４…リセット端子、１２０…サブマイコン（第２処理手段）、１２２…Ａ／Ｄ変換部、１２３…タイマ処理部、１２４…監視部、１２５…リセット出力部、１２６…リセット出力停止部、２００…自動車、３００…制御機器、３１０…油温センサ、３２０…回転センサ、４００…監視オフツール、４０１…定電圧回路、４０２…パルス発生器
【図１】
2018090214.tif 000003
【図２】
2018090214.tif 000004
【図３】
2018090214.tif 000005
【図４】
2018090214.tif 000006
【図５】
2018090214.tif 000007